(57)【要約】      （修正有）【課題】頭巾本体の内部の温度上昇を抑制可能な作業用頭巾を提供する。【解決手段】作業用頭巾１０は、作業者の頭部及び首部を覆う頭巾本体１４と、頭巾本体１４に設けられ、かつ、頭部に被せられるヘルメットに取り付け及び取り外しが可能なベルト２９と、頭巾本体１４を厚さ方向に貫通する取付穴と、取付穴に取り付けられ、かつ、頭巾本体１４が頭部及び首部を覆った場合に頭巾本体１４の外部の空気を頭巾本体１４の内部に送る送風ファン１５と、を有する。【選択図】図２
0003233958.tif 000002
【実用新案登録請求の範囲】
【請求項１】
作業者の頭部及び首部を覆う頭巾本体と、
前記頭巾本体に設けられ、かつ、前記頭部に被せられるヘルメットに取り付け及び取り外しが可能な保持部材と、
前記頭巾本体を厚さ方向に貫通する取付穴と、
前記取付穴に取り付けられ、かつ、前記頭巾本体が前記頭部及び前記首部を覆った場合に前記頭巾本体の外部の空気を前記頭巾本体の内部に送る送風ファンと、
を有する、作業用頭巾。
【請求項２】
請求項１記載の作業用頭巾において、
前記頭巾本体は、前記取付穴を囲む補強部材を備え、
前記送風ファンは、
モータと、
前記モータを支持するハウジングと、
前記ハウジングに取り付け及び取り外しが可能なカバーと、
を有し、
前記ハウジングと前記カバーとが、前記補強部材を両側から挟む構成である、作業用頭巾。
【請求項３】
請求項２記載の作業用頭巾において、
前記頭巾本体は、
前記取付穴を有する中央部と、
前記中央部の両側に配置される第１側方部及び第２側方部と、
を有し、
前記第１側方部に設けられる第１係合部と、
前記第２側方部に設けられ、かつ、前記第１係合部に対して係合及び解放が可能な第２係合部と、
がさらに設けられている、作業用頭巾。
【考案の詳細な説明】
【技術分野】
【０００１】
本考案は、溶接作業、または金属等の研磨作業を行う際に作業者の後頭部、首等を覆う作業用頭巾に関する。
【背景技術】
【０００２】
各種の作業を行う作業者の後頭部、首等を覆う作業用頭巾の一例が、特許文献１に記載されている。特許文献１に記載された作業用頭巾は、頭部及び首部を覆う頭巾本体と、頭巾本体に設けたフェイスガードと、を備えている。また、頭巾本体は、顔が覗く開口部を有し、フェイスガードは、頭巾本体の開口部の左右両側にまたがって設けてある。さらに、頭巾本体は、ネックガードを有し、ネックガードは、スナップボタン等の止着具により、中央部で開閉可能に設けてある。フェイスガードは、目の周りと鼻及び口の周りを除いた部分を覆う。特許文献１には、顔面のやけどや細かな切創等を確実に防止できる、と記載されている。
【先行技術文献】
【特許文献】
【０００３】
【特許文献１】特許第６２３０７４５号公報
【考案の概要】
【考案が解決しようとする課題】
【０００４】
本願考案者は、特許文献１に記載された作業用頭巾は、頭部、首等の全体を覆うため、頭巾本体の内部に空気がこもり易く、頭巾本体の内部の温度が上昇する、という課題を認識した。
【０００５】
本考案の目的は、頭巾本体の内部の温度が上昇することを抑制可能な作業用頭巾を提供することにある。
【課題を解決するための手段】
【０００６】
本考案の作業用頭巾は、作業者の頭部及び首部を覆う頭巾本体と、前記頭巾本体に設けられ、かつ、前記頭部に被せられるヘルメットに取り付け及び取り外しが可能なベルトと、前記頭巾本体を厚さ方向に貫通する取付穴と、前記取付穴に取り付けられ、かつ、前記頭巾本体が前記頭部及び前記首部を覆った場合に前記頭巾本体の外部の空気を前記頭巾本体の内部に送る送風ファンと、を有する。
【考案の効果】
【０００７】
本考案の作業用頭巾によれば、頭巾本体の外部の空気を内部に送り込むことができる。したがって、頭巾本体の内部の温度が上昇することを抑制できる。
【図面の簡単な説明】
【０００８】
【図１】（Ａ）は、作業用頭巾を装着した作業者の正面図、（Ｂ）は、作業用頭巾を装着した作業者の背面図である。
【図２】展開した状態の作業用頭巾を外面側から見た平面図である。
【図３】展開した状態の作業用頭巾を内面側から見た平面図である。
【図４】（Ａ）は、作業用頭巾に取り付けられる送風ファンのハウジングを示す図、（Ｂ）は、送風ファンのカバーを示す図である。
【図５】送風ファンを頭巾本体に取り付けた状態の側面断面図である。
【考案を実施するための形態】
【０００９】
以下、本考案の実施形態を図面に基づいて説明する。図１、図２及び図３は、本考案による作業用頭巾（空調頭巾）１０の一実施形態を示している。作業用頭巾１０は、作業者１１が溶接作業、金属の研磨作業、ケレン作業等、各種の作業を行う際に用いられるものである。なお、作業者１１は、作業用頭巾１０と共に、図１（Ａ）に示すような保護メガネ１２及び防塵マスク１３、ヘルメット１６等を併用する。
【００１０】
作業用頭巾１０は、ヘルメット１６によって支持され、かつ、作業者１１の後頭部、頭部側方、及び首周りを覆う。作業用頭巾１０は、頭巾本体１４及び送風ファン１５を有する。頭巾本体１４を構成する主な生地（素材）は、チノクロス・ツイル、綿１００％の２種類であり、比較的、熱に強いものを用いている。頭巾本体１４は、ヘルメット１６に対して取り付け及び取り外しが可能であり、頭巾本体１４は、作業者１１の後頭部、頭部側方、首等を覆うための被覆部材である。頭巾本体１４は、中央部１７、第１側方部１８及び第２側方部１９を有する。中央部１７、第１側方部１８、第２側方部１９は、頭巾本体１４を展開して平面視した場合に、頭巾本体１４の全体を便宜的に区画した領域を示すものである。
【００１１】
中央部１７は、第１側方部１８と第２側方部１９との間に位置する。図２及び図３には、便宜上、中央部１７と第１側方部１８とが第１区画線２０により区画され、中央部１７と第２側方部１９とが、第２区画線２１により区画された例を示している。なお、第１区画線２０及び第２区画線２１は、共に仮想線であり、中央部１７、第１側方部１８、第２側方部１９をそれぞれ明確に区別する境界が物理的に存在している訳ではない。
【００１２】
中央部１７は、上縁２２及び下縁２３を有する。図２のように、展開された頭巾本体１４を外側から平面視し、図３のように、展開された頭巾本体１４を内側から平面視すると、上縁２２は、第１区画線２０の第１端部と、第２区画線２１の第１端部との間に位置する。下縁２３は、第１区画線２０の第２端部と、第２区画線２１の第２端部との間に位置する。上縁２２及び下縁２３は、同じ方向に膨らむ向きで湾曲されており、下縁２３の全長は、上縁２２の全長を超えている。このため、第１区画線２０と第２区画線２１との間の距離は、上縁２２から下縁２３に近づくことに伴い増加している。
【００１３】
第１側方部１８は、上縁２４、下縁２５、湾曲縁２６、側縁２７を有する。上縁２４は上縁２２につながり、下縁２５は下縁２３につながっている。側縁２７は下縁２５につながり、湾曲縁２６は、上縁２４及び側縁２７につながっている。湾曲縁２６は、第１区画線２０に近づくように湾曲されている。第１側方部１８には、側縁２７に沿って複数、例えば、３個の係合部２８が設けられている。３個の係合部２８は、一例としてスナップボタンである。頭巾本体１４の外面５２には、第１側方部１８から中央部１７に亘って、面ファスナー３６が取り付けられている。面ファスナー３６は、上縁２２，２４に沿って設けられている。
【００１４】
第２側方部１９は、上縁３１、下縁３２、湾曲縁３３、側縁３４を有する。上縁３１は上縁２２につながり、下縁３２は下縁２３につながっている。側縁３４は下縁３２につながり、湾曲縁３３は、上縁３１及び側縁３４につながっている。湾曲縁３３は、第２区画線２１に近づくように湾曲されている。第２側方部１９には、側縁３４に沿って複数、例えば、３個の係合部３５が設けられている。３個の係合部３５は、一例としてスナップボタンである。係合部３５は、係合部２８に対して係合及び解放が可能である。係合部２８，３５は、第１側方部１８と第２側方部１９とを、作業者１１の首の前方に保持させるために設けられている。第２側方部１９には、湾曲縁３３から延ばされたベルト２９が設けられている。ベルト２９は、頭巾本体１４をヘルメット１６に取り付けるために設けられている。ベルト２９は、伸縮性を有する弾性部材、例えば、ゴム製である。ベルト２９の片方の面には、面ファスナー３０及び滑り止め４９が設けられている。滑り止め４９は、例えば、シリコンゴムである。
【００１５】
送風ファン１５の構成、及び送風ファン１５を頭巾本体１４に取り付け及び取り外し可能とするための構成を、図４及び図５を参照して説明する。送風ファン１５は、ハウジング３７、カバー３８、モータ３９、羽根４０を有する。ハウジング３７及びカバー３８は、例えば合成樹脂製である。図４（Ａ）のように、ハウジング３７は、全周に亘って環状のフランジ４１を有する。図４（Ｂ）のように、カバー３８は環状である。モータ３９及び羽根４０は、ハウジング３７に設けられている。羽根４０は、合成樹脂製である。モータ３９は、例えば直流電動機である。
【００１６】
カバー３８は環状であり、かつ、フランジ４２を有する。ハウジング３７の外周面に雄ねじ部が設けられ、カバー３８の内周面に雌ねじ部が設けられている。このため、ハウジング３７及びカバー３８を共通の中心線Ａ１を中心として配置し、かつ、カバー３８をハウジング３７に対して中心線Ａ１を中心として回転させると、カバー３８をハウジング３７に対して固定すること、及びカバー３８をハウジング３７から取り外すこと、ができる。
【００１７】
モータ３９には、電力ケーブル４４を介して電源４５が接続されている。電源４５は、直流電源であり、二次電池（バッテリ）または一次電池の何れでもよい。電源４５に切り替えスイッチが設けられており、作業者１１が切り替えスイッチをオンさせると、電源４５の電力がモータ３９に供給され、モータ３９及び羽根４０が回転される。作業者１１が切り替えスイッチをオフさせると、電源４５からモータ３９に電力が供給されなくなり、モータ３９及び羽根４０が停止される。
【００１８】
送風ファン１５を頭巾本体１４に取り付けるために、中央部１７に取付穴４３が設けられている。取付穴４３は、中央部１７を厚さ方向に貫通する円形の穴である。また、頭巾本体１４の外面５２において、中央部１７に補強部材４６が縫合によって固定されている。補強部材４６は、頭巾本体１４のうち送風ファン１５を保持する箇所の強度を確保するために設けられている。補強部材４６は、取付穴４３の外側を囲むように設けられている。
【００１９】
補強部材４６は、穴４８を有し、補強部材４６の曲げ剛性は、中央部１７の曲げ剛性よりも高い。補強部材４６は、例えば、合成樹脂製のプレートを芯材とし、その芯材を布地で覆って構成されている。穴４８の内径と取付穴４３の内径とは同じであり、かつ、共通の中心線Ａ１を中心として設けられている。取付穴４３及び穴４８の内径は、一例として８８ｍｍである。
【００２０】
次に、作業用頭巾１０の使用例を説明する。先ず、図５に示すように、ハウジング３７の一部を中央部１７の穴４８及び取付穴４３へ挿入させる。そして、ハウジング３７及びカバー３８を共通の中心線Ａ１に沿って同心状に配置し、カバー３８をハウジング３７に近づける。さらに、カバー３８をハウジング３７に対して中心線Ａ１を中心として回転させると、カバー３８をハウジング３７に対して固定することができる。カバー３８がハウジング３７に固定された状態で、フランジ４１とフランジ４２とが中央部１７及び補強部材４６を両側から挟む構成である。このため、送風ファン１５が中央部１７に対して中心線Ａ１を中心として回転することを防止できる。カバー３８は、頭巾本体１４の内面４７側に位置し、ハウジング３７のフランジ４１は、頭巾本体１４の外面５２側に位置する。
【００２１】
作業者１１は、作業着５０を着ており、頭部にヘルメット１６を被り、かつ、保護メガネ１２及び防塵マスク１３を顔に装着している。そして、内面４７を作業者１１の後頭部及び首に向けて、作業用頭巾１０を作業者１１に近づける。さらに、作業用頭巾１０を湾曲させて、上縁２２，２４，３１をヘルメット１６の外面に接触させ、かつ、ベルト２９をヘルメット１６の外面に接触させる。滑り止め４９がヘルメット１６の外面に接触され、ベルト２９の一部を頭巾本体１４の一部に重ねることで、面ファスナー３０と面ファスナー３６とが係合される。滑り止め４９とヘルメット１６の外面との摩擦力により、頭巾本体１４がヘルメット１６の外周面に沿った方向に移動することを防止できる。
【００２２】
さらに、第１側方部１８及び第２側方部１９を作業者１１の首に近づけるように、頭巾本体１４を変形させ、図１（Ａ）のように、作業者１１の顔の下で係合部２８と係合部３５とを係合させる。このようにして、作業用頭巾１０を作業者１１に装着する作業が完了すると、図１（Ｂ）のように、送風ファン１５は作業者１１の首の後ろに位置する。電源４５は、作業着５０のポケット５１に入れておくことが可能であり、電力ケーブル４４が作業の邪魔になることは無い。
【００２３】
作業者１１は、保護メガネ１２、防塵マスク１３に加え、作業用頭巾１０を装着しているため、溶接作業、または金属等の研磨作業を行う場合に、溶接個所から漏れるアーク光（紫外線）、飛来するスパッタ、スラグ、研磨屑等が、作業者１１の顔、首等に到達することを防止できる。また、作業者１１が切り替えスイッチをオンさせると、電源４５の電力がモータ３９に供給され、モータ３９及び羽根４０が回転される。すると、図５のように、頭巾本体１４の外部Ｂ１の空気が、送風ファン１５によって吸い込まれ、頭巾本体１４の内部Ｂ２へ供給される。内部Ｂ２へ供給された空気は、作業者の首、後頭部に沿って流れ、湾曲縁２６，３３と顔との間を通って外部Ｂ１へ排出される。
【００２４】
したがって、内部Ｂ２の温度上昇を抑制でき、作業者１１の作業環境を良好に維持できる。このため、作業者１１の顔に出る汗を軽減（低減）でき、首元への送風による熱中症対策になる。また、保護メガネ１２の内側と外側との温度差をなるべく小さくすることができ、保護メガネ１２が曇ることを解決（防止）できる。さらに、頭巾本体１４に穴が開いたり、汚れたりした場合は、カバー３８をハウジング３７に対して中心線Ａ１を中心として回転させることにより、送風ファン１５を頭巾本体１４から取り外し、他の頭巾本体１４に送風ファン１５を取り付けることが可能である。
【００２５】
本実施形態で説明した事項の技術的意味の一例は、次の通りである。作業用頭巾１０は、作業用頭巾の一例である。頭巾本体１４は、頭巾本体の一例である。ベルト２９は、保持部材の一例である。取付穴４３は、取付穴の一例である。送風ファン１５は、送風ファンの一例である。補強部材４６は、補強部材の一例である。モータ３９は、モータの一例である。ハウジング３７は、ハウジングの一例である。カバー３８は、カバーの一例である。中央部１７は、中央部の一例である。第１側方部１８は、第１側方部の一例である。第２側方部１９は、第２側方部の一例である。係合部２８は、第１係合部の一例である。係合部３５は、第２係合部の一例である。
【００２６】
本実施形態で説明した作業用頭巾は、図面を用いて説明したものに限定されない。例えば、頭巾本体の素材は、帆布でもよい。また、第１側部と第２側部とを、ファスナーによって係合及び解放可能にしてもよい。さらに、保持部材は、ベルトに代えて紐でもよい。また、保持部材をヘルメットに掛けて頭巾本体で固定する構造は、面ファスナーに代えてスナップボタンでもよい。
【産業上の利用可能性】
【００２７】
本実施形態の作業用頭巾は、溶接作業、または金属等の研磨作業を行う際に作業者の後頭部、首等を覆うものとして利用可能である。
【符号の説明】
【００２８】
１０…作業用頭巾、１１…作業者、１４…頭巾本体、１５…送風ファン、１７…中央部、１８…第１側方部、１９…第２側方部、２８，３５…係合部、２９…ベルト、３７…ハウジング、３８…カバー、３９…モータ、４３…取付穴、４６…補強部材、Ｂ１…外部、Ｂ２…内部
【図１】
0003233958.tif 000003
【図２】
0003233958.tif 000004
【図３】
0003233958.tif 000005
【図４】
0003233958.tif 000006
【図５】
0003233958.tif 000007